(57)【特許請求の範囲】
【請求項１】
画像データと、利用者の携帯電話機のメールアドレスとを、写真撮影プリント装置から受信して、受信した上記画像データが存在する場所を示す所在情報を上記メールアドレスに通知する画像データ配信サーバ装置において、
メールアドレスと、携帯電話機の識別情報と、ポイントと、所定の会員情報とを対応づけて記憶する会員情報記録部と、
メールアドレスと、携帯電話機の識別情報と、ポイントとを対応づけて記憶する非会員情報記録部と、
上記所在情報が示す場所への最初のアクセスを携帯電話機から受け付けたとき、該携帯電話機の識別情報を取得する識別情報取得手段と、
上記会員情報記録部に、上記取得した識別情報が記憶されているかを判定する識別情報判定手段と、
上記識別情報判定手段の判定結果に応じて、ポイントを付与するポイント付与手段と、を備え、
上記ポイント付与手段は、上記所在情報を通知したメールアドレスと上記取得した識別情報に対応付けられているメールアドレスとが異なる場合で、かつ、上記所在情報を通知したメールアドレスに対応付けられている識別情報が、上記会員情報記録部に無い場合であって、上記非会員情報記録部に有る場合、該非会員情報記録部において該識別情報に対応するポイントに加算すべきポイントを決定する画像データ配信サーバ装置。
【請求項２】
上記ポイント付与手段は、上記識別情報取得手段により取得された上記識別情報が会員情報記録部および非会員情報記録部のいずれに記憶されているかに応じて該取得された識別情報に対応するポイントに加算すべきポイントを決定する請求項１に記載の画像データ配信サーバ装置。
【請求項３】
メールアドレスと、ポイントとを対応づけて記憶するポイント管理部をさらに備え、
上記ポイント付与手段は、上記識別情報取得手段により取得された上記識別情報が、上記会員情報記録部にも上記非会員情報記録部にも記憶されていないとき、上記携帯電話機のユーザの入力により取得したメールアドレスに対してポイントを付与し、上記ポイント管理部に記憶する請求項１に記載の画像データ配信サーバ装置。
【請求項４】
画像データと、利用者の携帯電話機のメールアドレスとを、写真撮影プリント装置から受信して、受信した上記画像データが存在する場所を示す所在情報を上記メールアドレスに通知する画像データ配信サーバ装置の制御方法において、
上記所在情報が示す場所への最初のアクセスを携帯電話機から受け付けたとき、該携帯電話機の識別情報を取得する識別情報取得ステップと、
メールアドレスと、携帯電話機の識別情報と、ポイントと、所定の会員情報とを対応づけて記憶する会員情報記録部に、取得した上記識別情報が記憶されているかを判定する識別情報判定ステップと、
上記所在情報を通知したメールアドレスと上記取得した識別情報に対応付けられているメールアドレスとが異なる場合で、かつ、上記所在情報を通知したメールアドレスに対応付けられている識別情報が、上記会員情報記録部に無い場合であって、メールアドレスと、携帯電話機の識別情報と、ポイントとを対応づけて記憶する非会員情報記録部に有る場合、該非会員情報記録部において上記識別情報に対応するポイントに加算すべきポイントを決定するポイント決定ステップと、を含む画像データ配信サーバ装置の制御方法。
【請求項５】
請求項１から３のいずれか１項に記載の画像データ配信サーバ装置の上記各手段としてコンピュータを機能させるための画像データ配信サーバ装置の制御プログラム。
【請求項６】
請求項５に記載の画像データ配信サーバ装置の制御プログラムを記録したコンピュータ読み取り可能な記録媒体。
【発明の詳細な説明】
【技術分野】
【０００１】
本発明は画像データ配信サービスを提供する画像データ配信サーバ装置、画像データ配信サーバ装置の制御プログラム、コンピュータ読み取り可能な記録媒体、および、画像データ配信サーバ装置の制御方法に関する。
【背景技術】
【０００２】
従来、例えばゲームセンターなどの娯楽（遊戯）施設において、ユーザを撮影して得られた撮影画像や、撮影画像に対して背景画像や前景画像の合成等の編集（落書き）を施した編集画像を写真シール紙に印刷するという一連のゲームを提供する写真撮影プリント装置が設置されており、人気を博している。
【０００３】
また、写真撮影プリント装置で作成した画像データを、ネットワークを介して接続された画像サーバに保存しておき、画像サーバに保存した画像データを、携帯端末において適宜受信できるサービスを提供する技術が知られている（例えば、特許文献１）。
【０００４】
また、店舗で買い物をした会員に対して、買い物の額に応じたポイントを付与して、ポイント管理サーバにおいて付与したポイントの情報を蓄積しておき、会員の要求に応じて、ポイントと、携帯電話の着信メロディや、壁紙画像といった情報素材とを交換する技術が知られている（例えば、特許文献２）。このように会員となった顧客に対して、ポイントによるサービスを提供することは、顧客を囲い込むためのビジネス手法としてよくみられる。
【０００５】
また、画像データに基づいて算出されるポイントに関し、次のようなことも提案されている。すなわち、特許文献３では、電子カメラで撮像して得られた画像データから、撮影内容および撮影条件ごとに定められているポイントを生成することが開示されている。
【０００６】
また、従来、写真撮影プリント装置において、自装置にて提供しているサービスの利用状況に応じてポイントを付与することが提案されている（例えば、特許文献４）。
【先行技術文献】
【特許文献】
【０００７】
【特許文献１】特開２００１−３１３９１３（２００１年１１月９日公開）
【特許文献２】特開２００４−５４４６６（２００４年２月１９日公開）
【特許文献３】特開２００８−５２６２５（２００８年３月６日公開）
【特許文献４】特開２００６−７８８０５（２００６年３月２３日公開）
【発明の概要】
【発明が解決しようとする課題】
【０００８】
しかしながら、画像サーバに保存した画像データを、携帯端末において適宜受信できる、いわゆる画像データ配信サービスを提供する技術では、従来、利用者が、画像データをダウンロードするときに、どのような利用者であるかを特定して、それに応じてポイントを付与するということは提案されていなかった。
【０００９】
本発明は、上記の課題に鑑みてなされたものであり、その目的は、画像サーバに保存した画像データを、携帯端末において適宜受信できる、いわゆる画像データ配信サービスにおいて、画像データのダウンロードの要求を受け付けたときに、利用者が会員であるかを特定してポイントを付与することができる画像データ配信サーバ装置、画像データ配信サーバ装置の制御プログラム、コンピュータ読み取り可能な記録媒体、および、画像データ配信サーバ装置の制御方法を提供することにある。
【課題を解決するための手段】
【００１０】
上記の課題を解決するために、本発明に係る画像データ配信サーバ装置は、画像データと、利用者の携帯電話機のメールアドレスとを、写真撮影プリント装置から受信して、受信した上記画像データが存在する場所を示す所在情報を上記メールアドレスに通知する画像データ配信サーバ装置において、メールアドレスと、携帯電話機の識別情報と、ポイントとを対応づけて記憶するポイント記憶部と、上記所在情報が示す場所への最初のアクセスを上記携帯電話機から受け付けたとき、該携帯電話機の識別情報を取得する識別情報取得手段と、上記ポイント記憶部に、取得した上記識別情報が記憶されているかを判定する識別情報判定手段と、上記識別情報判定手段の判定結果に応じて、ポイントを付与するポイント付与手段と、を備えることを特徴としている。
【００１１】
また、上記の課題を解決するために、本発明に係る画像データ配信サーバ装置の制御方法は、画像データと、利用者の携帯電話機のメールアドレスとを、写真撮影プリント装置から受信して、受信した上記画像データが存在する場所を示す所在情報を上記メールアドレスに通知する画像データ配信サーバ装置の制御方法において、上記所在情報が示す場所への最初のアクセスを上記携帯電話機から受け付けたとき、該携帯電話機の識別情報を取得する識別情報取得ステップと、メールアドレスと、携帯電話機の識別情報と、ポイントとを対応づけて記憶するポイント記憶部に、取得した上記識別情報が記憶されているかを判定する識別情報判定ステップと、上記識別情報判定ステップにおける判定結果に応じて、ポイントを付与するポイント付与ステップと、を含むことを特徴としている。
【００１２】
なお、写真撮影プリント装置とは、利用者を撮影して、画像データを生成するものである。また、画像データ配信サーバ装置は、利用者が写真撮影プリント装置で生成した画像データを、画像データが存在する場所にアクセスすることでダウンロードできる画像データ配信サービスを提供するものである。
【００１３】
上記構成によれば、ポイント記憶部が、メールアドレスと、携帯電話機の識別情報と、ポイントとを対応づけて記憶しているので、これらの情報が記憶されていれば、利用者の特定に用いることができる。このため、利用者を特定してサービスを提供するような会員登録制のサービス環境を実現することができる。すなわち、ポイント記憶部に、これらの情報が記憶されていれば、その利用者は会員登録されていると判定することができる。
【００１４】
なお、ポイントは、写真撮影プリント装置にて、様々な特典を受けられるようなものであってもよい。このように、ポイントは、特定の利用者に、サービスを利用するための動機を与える目的で設定することができる。
【００１５】
ポイントは、例えば、写真撮影プリント装置にて写真撮影のための料金が設定されていた場合には、料金に対して所定レートで換算されたポイントが、その料金の代わりに使用できるようになっていてもよい。
【００１６】
ここで、携帯電話機の識別情報とは、例えば、携帯電話機に挿入されているＳＩＭカードに付されている固有の識別ＩＤのことである。
【００１７】
また、画像データ配信サーバ装置は、携帯電話機から、所在情報が示す場所へのアクセスを受け付けたとき、すなわち携帯電話機から画像データのダウンロード要求を受け付けたとき、当該携帯電話機の識別情報を取得する。なお、この所在情報とは、例えば、画像データにアクセスするためのＵＲＬ（Uniform Resource Locator）のことである。
【００１８】
そして、画像データ配信サーバ装置は、識別情報が、ポイント記憶部に記憶されているかを判定するので、例えば、会員登録の有無を判定することができる。
【００１９】
画像データ配信サーバ装置は、この識別情報がポイント記憶部に記憶されているか否かに応じて、ポイントを付与する。
【００２０】
このように、本発明に係る画像データ配信サーバ装置は、携帯電話機から画像データへのアクセスを受け付けたとき、携帯電話機を使用している者が、会員登録されている者であるか否かに応じてポイント付与を行うことができる。
【００２１】
この結果、画像データ配信サービスにおいて、画像データのダウンロードの要求を受け付けたときに、利用者が会員であるかを特定してポイントを付与することができるという効果を奏する。
【００２２】
本発明に係る画像データ配信サーバ装置では、上記ポイント付与手段は、上記ポイント記憶部に、取得した上記識別情報に対応するメールアドレスがないとき、上記所在情報を通知したメールアドレスに対応する上記識別情報に対応するポイントの値を加算することが好ましい。
【００２３】
上記構成によれば、ポイント記憶部に、取得した識別情報に対応するメールアドレスがないことから、予めポイント記憶部に登録された利用者のアクセスでないことがわかる。すなわち、所在情報が示す場所への最初のアクセスは、会員登録されていない非会員によるアクセスであると判断することができる。
【００２４】
また、ポイント記憶部に、所在情報を通知したメールアドレスに対応する上記識別情報が存在する利用者は、予めポイント記憶部に登録されている利用者、すなわち、会員である。
【００２５】
上記ポイント記憶部に、所在情報を送信したメールアドレスが登録されているということから、登録されているメールアドレスは、会員のものであり、アクセスしてきた非会員の携帯電話機のメールアドレスとは、異なるメールアドレスであると判断できる。
【００２６】
つまり、会員から非会員に所在情報を転送したと判断でき、メールを転送したことにより、画像データ配信サービスの利用者の拡大に会員が貢献したと判断できる。
【００２７】
このように、所在情報を転送した会員に対してポイント付与することができる。この結果、所在情報を転送した会員に対し、画像データ配信サービスの利用への動機付けを行うことができるという効果を奏する。
【００２８】
本発明に係る画像データ配信サーバ装置では、上記ポイント付与手段は、上記ポイント記憶部に、取得した上記識別情報に対応するメールアドレスがないとき、かつ、上記ポイント記憶部に、上記所在情報を通知したメールアドレスに対応する上記識別情報が無い場合、該メールアドレスに対応するポイントの値を加算することが好ましい。
【００２９】
上記構成によれば、ポイント記憶部に、取得した識別情報に対応するメールアドレスがないことから、予めポイント記憶部に登録された利用者のアクセスでないことがわかる。すなわち、所在情報が示す場所への最初のアクセスは、会員登録されていない非会員によるアクセスであると判断することができる。
【００３０】
また、ポイント記憶部に、画像データの所在場所を示す所在情報を通知したメールアドレスに対応する上記識別情報が無い場合であるので、この通知をした利用者は、非会員であると判断できる。
【００３１】
つまり、非会員に画像データの所在場所を通知し、非会員からダウンロード要求があったと判断できる。また、この場合において、所在情報を通知したメールアドレスに対応するポイントの値を加算するので、非会員であってもポイントを付与することができ、これにより、非会員に対しても画像データ配信サービスの利用への動機付けを行うことができるという効果を奏する。
【００３２】
本発明に係る画像データ配信サーバ装置では、上記ポイント付与手段は、上記ポイント記憶部に、取得した上記識別情報に対応するメールアドレスがあるとき、取得した上記識別情報に対応するメールアドレスと、上記所在情報を通知したメールアドレスとが異なれば、上記ポイント記憶部において、上記所在情報を通知したメールアドレスに対応する上記識別情報に対応するポイントの値を加算することが好ましい。
【００３３】
上記構成によれば、ポイント記憶部に、取得した識別情報に対応するメールアドレスがあることから、予めポイント記憶部に登録された利用者のアクセスであることがわかる。すなわち、所在情報が示す場所への最初のアクセスは、会員登録されている会員によるアクセスであると判断することができる。
【００３４】
また、ポイント記憶部に、所在情報を通知したメールアドレスに対応する識別情報があるのであればその通知先の利用者も会員であると判断できる。
【００３５】
取得した上記識別情報に対応するメールアドレスと、所在場所を通知したメールアドレスとが異なれば、ある会員から、別の会員に所在場所が通知されたと判断できる。これにより、所在場所を通知した会員に対してポイント付与できる。
【００３６】
この結果、所在情報を転送した会員に対し、画像データ配信サービスの利用への動機付けを行うことができるという効果を奏する。
【００３７】
本発明に係る画像データ配信サーバ装置では、上記ポイント付与手段は、上記ポイント記憶部に、取得した上記識別情報に対応するメールアドレスがあるとき、かつ、上記ポイント記憶部に、上記所在情報を通知したメールアドレスに対応する上記識別情報が無い場合、該メールアドレスに対応するポイントの値を加算することが好ましい。
【００３８】
上記構成によれば、ポイント記憶部に、取得した識別情報に対応するメールアドレスがあることから、予めポイント記憶部に登録された利用者のアクセスであることがわかる。すなわち、所在情報が示す場所への最初のアクセスは、会員登録されている会員によるアクセスであると判断することができる。
【００３９】
また、上記ポイント記憶部に、所在情報を通知したメールアドレスに対応する上記識別情報が無いので、所在情報を通知した利用者は、非会員であると判断できる。
【００４０】
つまり、非会員から会員に対して所在情報が転送されたと判断できる。また、所在情報を転送した利用者が非会員であってもポイントを付与することができる。
【００４１】
この結果、所在情報を通知した非会員に対しても画像データ配信サービスの利用への動機付けを行うことができるという効果を奏することができる。
【００４２】
なお、上記画像データ配信サーバ装置は、コンピュータによって実現してもよく、この場合には、コンピュータを上記各手段として動作させることにより上記画像データ配信サーバ装置をコンピュータにて実現させる画像データ配信サーバ装置の制御プログラム、およびそれを記録したコンピュータ読み取り可能な記録媒体も、本発明の範疇に入る。
【００４３】
上記制御プログラムによれば、コンピュータで上記手段を実現することにより、コンピュータ上で画像データ配信サーバ装置を実現することができる。また、上記記録媒体によれば、記録媒体から読み出される制御プログラムを、汎用のコンピュータ上で実現することができる。
【発明の効果】
【００４４】
本発明に係る画像データ配信サーバ装置は、以上のように、メールアドレスと、携帯電話機の識別情報と、ポイントとを対応づけて記憶するポイント記憶部と、所在情報が示す場所への最初のアクセスを上記携帯電話機から受け付けたとき、該携帯電話機の識別情報を取得する識別情報取得手段と、上記ポイント記憶部に、取得した上記識別情報が記憶されているかを判定する識別情報判定手段と、上記識別情報判定手段の判定結果に応じて、ポイントを付与するポイント付与手段と、を備える構成である。
【００４５】
本発明に係る画像データ配信サーバ装置の制御方法は、以上のように、所在情報が示す場所への最初のアクセスを上記携帯電話機から受け付けたとき、該携帯電話機の識別情報を取得する識別情報取得ステップと、メールアドレスと、携帯電話機の識別情報と、ポイントとを対応づけて記憶するポイント記憶部に、取得した上記識別情報が記憶されているかを判定する識別情報判定ステップと、上記識別情報判定ステップにおける判定結果に応じて、ポイントを付与するポイント付与ステップと、を含む。
【００４６】
よって、画像データのダウンロードの要求を受け付けたときに、利用者が会員であるかを特定してポイントを付与することができるという効果を奏する。
【図面の簡単な説明】
【００４７】
【図１】本発明の一実施形態に係る画像データ配信サーバ装置の概略的構成を示す機能ブロック図である。
【図２】本発明の一実施形態に係る画像データ配信システムの概略的構成を示す機能ブロック図である。
【図３】画像情報記録部が記録するデータの内容の一例について示した模式図である。
【図４】撮影画像一時記録部が記録するデータの内容の一例について示したテーブルである。
【図５】会員情報記録部が記録するデータの内容の一例について示したテーブルである。
【図６】非会員情報記録部が記録するデータの内容の一例について示したテーブルである。
【図７】ポイントテーブルが記録するデータの内容の一例について示したテーブルである。
【図８】写真撮影〜案内通知メール送信の処理の流れについて例示したフローチャートである。
【図９】会員用の案内通知メールの一例を示す図である。
【図１０】非会員用の案内通知メールの一例を示す図である。
【図１１】ダウンロード要求の処理の流れについて例示したフローチャートである。
【図１２】ＵＲＬに対して携帯電話機がアクセスした場合に、画像データ配信サーバから返されるページの一例を示す図である。
【図１３】アクセスしてきた携帯電話機に送信するトップページの一例を示す図である。
【図１４】アクセスしてきた携帯電話機に送信するトップページの他の例を示す図である。
【図１５】ポイントを付与する処理の流れについて例示したフローチャートである。
【図１６】画像情報記録部に記録されているデータについて例示する図である。
【図１７】画像情報記録部に記録されているデータについて例示する図である。
【図１８】撮影画像一時記録部に記録されているデータについて例示する図である。
【図１９】会員情報記録部に記録されているデータについて例示する図である。
【図２０】非会員情報記録部に記録されているデータを示す図である。
【図２１】本発明の一実施形態における処理の流れの具体例について示す図である。
【図２２】本発明の一実施形態における処理の流れの他の具体例について示す図である。
【発明を実施するための形態】
【００４８】
本発明の画像データ配信サーバ装置に関する一実施形態について図１〜図２２に基づいて説明すると以下のとおりである。
【００４９】
（画像データ配信システムについて）
まず、図２を用いて、本発明の画像データ配信サーバ装置を含む画像データ配信システムの構成について説明する。図２は、本実施形態に係る画像データ配信システム１の概略的構成を示す機能ブロック図である。
【００５０】
図２に示すように、画像データ配信システム１は、画像データ配信サーバ装置１０、写真撮影プリント装置１００、および携帯電話機５０を含む構成である。
【００５１】
画像データ配信システム１は、写真撮影プリント装置１００において得られた画像データを画像データ配信サーバ装置１０に保存しておき、保存した画像データを、利用者の所持する携帯電話機５０によってダウンロードすることができる画像データ配信サービスを提供するものである。
【００５２】
写真撮影プリント装置１００は、画像データ配信サーバ装置１０と通信ネットワークＷ１によって接続されている。この通信ネットワークＷ１には、インターネット、ＬＡＮ（Local Area Network）など、公知の通信ネットワーク技術を用いることができる。また、通信ネットワークに利用される通信回線には、公衆通信回線、専用通信回線など、公知の通信回線を利用することができる。
【００５３】
また、画像データ配信サーバ装置１０と携帯電話機５０との間は、携帯電話網Ｗ２により接続されている。携帯電話網Ｗ２は、電子メール機能およびインターネット接続機能を提供する。
【００５４】
そして、画像データ配信サービスでは、いわゆる会員制を設けている。利用者は、画像データ配信サービスの会員になることで、例えば、写真撮影プリント装置１００が提供するゲームをより楽しむための様々な特典を受けることができる。
【００５５】
また、画像データ配信システム１では、会員として登録されている利用者でなくても、画像データ配信サービスを利用したことがある利用者であれば、所定の特典を与えるべく、その利用の履歴を管理している。
【００５６】
以下、画像データ配信システム１に含まれる各構成についてより具体的に説明する。
【００５７】
［写真撮影プリント装置］
写真撮影プリント装置１００は、利用者を撮影して画像データを生成するものである。写真撮影プリント装置１００は、撮影を行うためのカメラ、画像処理を行うための処理装置ユーザインターフェース、および印刷を行うための印刷装置などから構成される。
【００５８】
写真撮影プリント装置１００は、より具体的には、被写体である利用者の撮影処理を行い、該撮影処理により得られた撮影画像に対して背景の合成や、いわゆる落書きなどの編集処理を行い、該編集処理により作成された編集画像を所定の形式で印刷する一連の処理を含むゲームを提供する。
【００５９】
そして、写真撮影プリント装置１００は、これらの一連の処理を行って、撮影処理により得られた撮影画像、および／または、編集処理により得られた編集画像を生成するとともに、これらの撮影画像および／または編集画像を画像データ配信サーバ装置１０に送信する。以下、撮影画像と、編集画像とを特に区別することなく、単に画像データと称する。
【００６０】
なお、写真撮影プリント装置１００において、必ずしも、撮影処理、編集処理、印刷処理の一連の処理すべてを実行しなければならないわけではなく、上記処理のうち、一部を省略してもよい。写真撮影プリント装置１００は、少なくとも画像データを生成するための処理、例えば、撮影処理を行う構成であればよい。よって、例えば、写真撮影プリント装置１００において、印刷処理を省略することが可能である。
【００６１】
また、写真撮影プリント装置１００は、ゲーム中に、利用者が所持する携帯電話機５０の電子メールアドレスの入力を受け付けて、受け付けたメールアドレスと、生成した画像データとを、通信ネットワークＷ１を介して、画像データ配信サーバ装置１０に送信する。なお、以下、単に電子メールアドレスのことを単にメールアドレスと称して、当該メールアドレスに対して送信される電子メールのことを単にメールと称する。
【００６２】
画像データ配信サーバ装置１０に送信されたメールアドレスは、画像データ配信サーバ装置１０が各種通知メールを、利用者が所持する携帯電話機５０に送信するために用いられるが、その詳細については後述する。
【００６３】
［画像データ配信サーバ装置］
画像データ配信サーバ装置１０は、携帯電話機５０のダウンロード要求に応じて、画像データを配信するものである。画像データ配信サーバ装置１０は、例えば、ＣＰＵ（Central Processing Unit）やメモリ、ハードディスク装置、通信インターフェース、入出力装置等を備えるコンピュータ機器により実現することができる。
【００６４】
画像データ配信サーバ装置１０は、Ｗｅｂサーバとしての機能を備えており、これにより画像データ配信サービスを実現している。画像データ配信サーバ装置１０は、携帯電話機５０から、インターネットを介して、ＵＲＬに対するアクセスを受け付けて、画像データのダウンロード等各種サービスの提供を行う。
【００６５】
また、画像データ配信サーバ装置１０は、携帯電話網Ｗ２が提供するメール機能により、携帯電話機５０に各種通知メールを送信することができる。また、画像データ配信サーバ装置１０、携帯電話網Ｗ２が提供するインターネット接続機能により、携帯電話機５０から、インターネットを介したアクセスを受け付けることができる。
【００６６】
画像データ配信サーバ装置１０は、例えば、写真撮影プリント装置１００から、画像データと、メールアドレスとを受信して、受信したメールアドレスに対して、画像データにアクセスするためのＵＲＬを含むメールをメール機能により送信する。
【００６７】
また、画像データ配信サーバ装置１０は、携帯電話機５０からの画像データのダウンロード要求を受け付ける。
【００６８】
［携帯電話機］
携帯電話機５０は、利用者が所持する通信端末であり、携帯電話網Ｗ２が提供するメール機能と、インターネット接続機能とを利用可能である。また、携帯電話機５０は、上述のとおり、画像データ配信サーバ装置１０と通信可能となっており、画像データ配信サーバ装置１０から、各種通知メールを受信したり、画像データ配信サーバ装置１０に対して、インターネットを介し接続したりすることができる。
【００６９】
具体的には、携帯電話機５０は、画像データ配信サーバ装置１０から、画像データにアクセスするためのＵＲＬ（所在情報）を含む案内通知メールをメール機能により受信する。
【００７０】
そして、携帯電話機５０は、画像データを特定するためのＵＲＬに対して、インターネット接続機能によってアクセスすることで、画像データ配信サーバ装置１０に当該画像データのダウンロード要求を行う。このときに、携帯電話機５０は、画像データ配信サーバ装置１０に対して、当該携帯電話機５０を識別するための情報として、携帯端末番号を送信する。なお、携帯端末番号の詳細については後述する。
【００７１】
また、携帯電話機５０は、携帯電話機どうしでメール機能により通信することができる。このメール機能により、例えば、画像データ配信サーバ装置１０から、画像データにアクセスするためのＵＲＬを通知された携帯電話機５０Ａは、メール本文に通知されたＵＲＬを添付して、他の携帯電話機５０Ｂに転送することができる。
【００７２】
なお、携帯電話機５０Ａは、案内通知メールの転送以外の手法により、ＵＲＬを携帯電話機５０Ｂに通知してもよい。
【００７３】
以後、画像データ配信サーバ装置１０から、画像データにアクセスするためのＵＲＬを含む案内通知メールを受信した携帯電話機５０Ａと、携帯電話機５０ＡからＵＲＬを転送された携帯電話機５０Ｂとを必要に応じて区別する。区別する必要がなければ単に携帯電話機５０と記載する。
【００７４】
さらに付言すれば、携帯電話機５０Ａは、写真撮影プリント装置１００にて、画像データを生成するゲームを行った利用者本人が所持する携帯電話機である。
【００７５】
（画像データ配信サーバ装置の構成）
次に、図１を用いて、画像データ配信サーバ装置１０の概略的構成について説明する。図１は、画像データ配信サーバ装置１０の概略的構成を示すブロック図である。
【００７６】
図１に示すように、画像データ配信サーバ装置１０は、制御部２００および記録部２５０を含む構成である。
【００７７】
制御部２００は、画像データ配信サーバ装置１０が備える各部の動作を統括的に制御するものである。この制御部２００による各種制御は、例えば、メモリにロードされた制御プログラムを、ＣＰＵが解釈・実行することによって、コンピュータにおいて制御処理が行われることよって実現できる。このプログラムは、例えばＣＤ−ＲＯＭなどのリムーバブルメディアに記録されているものを読み出して使用する形態であってもよいし、ハードディスクなどにインストールされたものを読み出して使用する形態であってもよい。また、この制御部２００がインターネットなどの通信ネットワークに接続された構成とする場合、この通信ネットワークを介して上記プログラムをダウンロードしてハードディスクなどにインストールして実行する形態なども考えられる。
【００７８】
記録部２５０は、各種データを記録するためのものであり、ＲＯＭ（Read Only Memory）、ＲＡＭ（Random Access Memory）、ハードディスクなどの記憶装置によって実現可能である。この記録部２５０に記録される内容としては、上記制御プログラム、ＯＳ（Operating System）プログラム、その他の各種プログラム、画像データ配信サーバ装置１０が動作するのに必要な設定値、およびその他のデータが挙げられる。
【００７９】
なお、図１において、特に図示していないが、画像データ配信サーバ装置１０は、写真撮影プリント装置１００および携帯電話機５０との間におけるデータ通信を実現するための通信インターフェースを備える。つまり、画像データ配信サーバ装置１０は、この通信インターフェースにより、図２を用いて示したような写真撮影プリント装置１００および携帯電話機５０との間におけるデータ通信を、適宜行うことができる。
【００８０】
（記録部の詳細）
記録部２５０は、画像情報記録部２５１、撮影画像一時記録部２５２、会員情報記録部（ポイント記憶部）２５３、非会員情報記録部（ポイント記憶部）２５４、およびポイントテーブル２５５を含む。
【００８１】
［画像情報記録部］
画像情報記録部２５１は、写真撮影プリント装置１００から送信される画像データに関する情報を記録するためのものである。
【００８２】
図３を用いて、画像情報記録部２５１が記録するデータの内容の一例について説明すると次のとおりである。図３は、画像情報記録部２５１が記録するデータの内容の一例について示した模式図である。
【００８３】
図３に示すように、画像情報記録部２５１には、写真撮影プリント装置１００から送信される画像データが記録される。各画像データには、画像ＩＤが付されており、画像ＩＤによって一意に識別可能になっている。また、各画像データには、「ポイント付与」が対応づけられている。
【００８４】
この「ポイント付与」は、対応する画像データに関してポイントを付与することができるか否かを判定するために用いられる。また、「ポイント付与」は、“○”または“×”の２つの値をとる論理値である。「ポイント付与」が、“○”であれば、対応する画像データに関してポイントを付与することができることを示し、“×”であれば、対応する画像データに関してポイントを付与することができないことを示す。
【００８５】
［撮影画像一時記録部］
撮影画像一時記録部２５２は、写真撮影プリント装置１００から送信される、メールアドレスと、画像データの画像ＩＤとを対応づけて記録するためのものである。
【００８６】
図４を用いて、撮影画像一時記録部２５２が記録するデータの内容について説明すると次のとおりである。図４は、撮影画像一時記録部２５２が記録するデータの内容の一例について示したテーブルである。
【００８７】
図４に示すように、撮影画像一時記録部２５２には、「メールアドレス」および「画像ＩＤ」の組が格納される。「メールアドレス」は、利用者の携帯電話機５０のメールアドレスである。また、「画像ＩＤ」は、写真撮影プリント装置１００から送信される画像データを一意に識別するための識別情報である。
【００８８】
なお、図４では、１つのメールアドレスに対して、複数の画像ＩＤが対応付けられている場合には、それらをまとめて表記している。すなわち、図４では、１つのメールアドレス“yyy@***.ne.jp”について、２つの画像ＩＤ“ID0801”および“ID0802”が対応付けられている。
【００８９】
［会員情報記録部］
会員情報記録部２５３は、画像データ配信システム１の利用者のうち、会員登録した利用者を管理するための情報を記録するものである。画像データ配信システム１が提供する会員登録サイトにおいて入力フォームに所定の入力を行うことで、会員登録を行うことができる。なお、会員登録は、写真撮影プリント装置１００において行えるようになっていてもよい。
【００９０】
図５を用いて、会員情報記録部２５３が記録するデータの内容について説明すると次のとおりである。図５は、会員情報記録部２５３が記録するデータの内容の一例について示したテーブルである。
【００９１】
図５に示すように、会員情報記録部２５３には、「名前」、「携帯端末番号」、「メールアドレス」、「ポイント」、および「ダウンロード画像ＩＤ」の項目を含むデータテーブルが格納される。会員情報記録部２５３に格納されるレコードは、これらの項目のうち「携帯端末番号」によって一意に識別することができる。
【００９２】
「名前」は、利用者の名前を登録しておくためのものである。利用者は、画像データ配信システム１において用いるニックネーム等の名前を任意に登録することができる。
【００９３】
「携帯端末番号」は、利用者が所持する携帯電話機５０を個々に識別するための携帯端末番号を登録しておくためのものである。携帯端末番号とは、具体的には、携帯電話機５０に挿入されているＳＩＭ（Subscriber Identity Module Card）カードまたはＵＳＩＭカード (Universal Subscriber Identity Module Card) と呼ばれるＩＣ（Integrated Circuit）カードに記録されている固有の識別ＩＤである。なお、以後において、ＳＩＭカードおよびＵＳＩＭカードを、特に区別することなく単にＳＩＭカードと称する。
【００９４】
「メールアドレス」は、利用者の携帯電話機５０の電子メールアドレスを登録しておくためのものである。
【００９５】
「ポイント」は、利用者に付与されているポイントの総数を示す情報を登録しておくためのものである。ポイントは、その数に応じて、画像データ配信サービスの利用者に、所定の特典を与えるためのものである。例えば、画像データ配信システム１において、所定数のポイントと、特典としての景品等とを交換可能となっていてもよい。ここで、景品とは、例えば、携帯電話機５０の待ち受け画面データのようなデジタルデータであってもよいし、化粧品といった物品であってもよい。
【００９６】
「ダウンロード画像ＩＤ」には、利用者が、携帯電話機５０によって、画像データ配信サーバ装置１０からダウンロードした画像データの画像ＩＤが登録される。
【００９７】
［非会員情報記録部］
非会員情報記録部２５４は、画像データ配信システム１の利用者のうち、会員登録していない利用者を管理するための情報を記録するものである。会員登録していない利用者には、例えば、会員登録はしていないが、画像データ配信サーバ装置１０から、画像データのダウンロードを行ったことがある利用者が該当する。
【００９８】
図６を用いて、非会員情報記録部２５４が記録するデータの内容について説明すると次のとおりである。図６は、非会員情報記録部２５４が記録するデータの内容の一例について示したテーブルである。
【００９９】
図６に示すとおり、非会員情報記録部２５４には、「携帯端末番号」、「メールアドレス」、「ポイント」、および「画像ＩＤ」の項目を含むデータテーブルが格納される。これらの項目は、図５を用いて示したものと同様である。また、非会員情報記録部２５４に格納されるレコードは、これらの項目のうち「携帯端末番号」によって一意に識別することができる。
【０１００】
［ポイントテーブル］
ポイントテーブル２５５は、所定の条件を満たした会員および非会員に対して、付与するポイントを定義するテーブルである。
【０１０１】
図７を用いて、ポイントテーブル２５５が記録するデータの内容について説明すると次のとおりである。図７は、ポイントテーブル２５５が記録するデータの内容の一例について示したテーブルである。
【０１０２】
図７に示すように、所定の条件には、画像データ配信サーバ装置１０にアクセスしてダウンロード要求したときにポイントが付与される場合の「アクセス」、および、転送を行ったときにポイントが付与される場合の「転送」の２パターンがある。この条件のより具体的な内容については、後述する。
【０１０３】
そして、「アクセス」において、「会員」には、“１０pt（ポイント）”が、「非会員」には、“５pt（ポイント）”が、それぞれ設定されている。以下、このポイントを「アクセスポイント」と称する。
【０１０４】
また、「転送」において、「会員」には、“５pt”が、「非会員」には、“１pt”が、それぞれ設定されている。以下、このポイントを「転送ポイント」と称する。
【０１０５】
同図に示す例のように、「会員」および「非会員」で、異なるポイントを付与するような設定としてもよいし、これに限られず、「会員」および「非会員」で、同一のポイントを付与するような設定としてもよい。
【０１０６】
例えば、図７に示す例でいえば、「アクセス」において、「会員」および「非会員」のいずれにおいても、“１０ｐｔ”を設定し、「転送」において、「会員」および「非会員」のいずれにおいても、“５ｐｔ”を設定することができる。
【０１０７】
このように定義されているポイントが、どのような条件かで付与されるかについては後述する。
【０１０８】
（制御部の詳細）
制御部２００は、撮影画像受信部２０１、会員判定部（識別情報判定手段）２０２、案内通知部２０３、サービス制御部（識別情報取得手段）２０４、ポイント決定部（識別情報判定手段、ポイント付与手段）２０５、ポイント付与部（ポイント付与手段）２０６、および画像配信制御部２０７を備える。
【０１０９】
［撮影画像受信部］
撮影画像受信部２０１は、写真撮影プリント装置１００から送信される、メールアドレスと、画像データと受信するものである。撮影画像受信部２０１は、受信した画像データを、画像情報記録部２５１に保存するとともに、受信したメールアドレスと、該画像データの画像ＩＤとを対応づけて、撮影画像一時記録部２５２に保存する。なお、撮影画像受信部２０１は、画像情報記録部２５１に、画像データを保存する際、「ポイント付与」に“○”を設定する。
【０１１０】
［会員判定部］
会員判定部２０２は、メールアドレスまたは携帯端末番号が、会員情報記録部２５３において登録されているかを判定するものである。会員判定部２０２は、案内通知部２０３またはポイント決定部２０５の照会に応じて、この会員判定処理を行う。
【０１１１】
会員判定部２０２は、案内通知部２０３からの照会に対しては次のようにして会員判定処理を行う。まず、会員判定部２０２は、案内通知部２０３からメールアドレスを受け取り、受け取ったメールアドレスが会員情報記録部２５３に登録されているか検索する。そして、会員判定部２０２は、メールアドレスが会員情報記録部２５３に登録されていなければ、そのメールアドレスは、会員のものではないと判定する。これに対して、会員判定部２０２は、メールアドレスが会員情報記録部２５３に登録されていれば、そのメールアドレスは、会員のものであると判定する。
【０１１２】
一方、会員判定部２０２は、ポイント決定部２０５からの照会に対しては次のようにして会員判定処理を行う。まず、会員判定部２０２は、ポイント決定部２０５から携帯端末番号を受け取り、受け取った携帯端末番号が会員情報記録部２５３に登録されているか探索する。そして、会員判定部２０２は、携帯端末番号が会員情報記録部２５３に登録されていなければ、その携帯端末番号は、会員のものではないと判定する。これに対して、会員判定部２０２は、携帯端末番号が会員情報記録部２５３に登録されていれば、その携帯端末番号は、会員のものであると判定する。
【０１１３】
会員判定部２０２は、判定した結果を、照会結果として案内通知部２０３またはポイント決定部２０５に返す。
【０１１４】
［案内通知部］
案内通知部２０３は、写真撮影プリント装置１００から受信したメールアドレスに対して、画像情報記録部２５１に保存されている画像データにアクセスするためのＵＲＬを通知するためのものである。このＵＲＬには、画像情報記録部２５１に保存されている画像データの画像ＩＤを示す情報が含まれており、これにより画像データ配信サーバ装置１０は、アクセスしてきた携帯電話機５０に対して送信するべき画像データの格納場所を特定することができる。
【０１１５】
案内通知部２０３は、具体的には、まず、撮影画像受信部２０１から、写真撮影プリント装置１００から受信したメールアドレスを取得して、取得したメールアドレスが、会員のものであるかを会員判定部２０２に照会する。そして、案内通知部２０３は、照会結果に応じて、取得したメールアドレスに対して送信するためのメールを作成する。
【０１１６】
案内通知部２０３が作成する通知メールには、撮影画像受信部２０１が画像情報記録部２５１に保存した画像データにアクセスするためのＵＲＬが含まれている。また、案内通知部２０３は、会員判定部２０２の照会結果が、非会員であった場合は、通知メールに会員登録を促すメッセージ等を含めてもよい。
【０１１７】
［サービス制御部］
サービス制御部２０４は、画像データ配信サービスのインターフェースを提供するものである。より具体的には、サービス制御部２０４は、携帯電話機５０からのアクセスを受け付け、アクセス内容に応じたＷｅｂページを返す。
【０１１８】
また、サービス制御部２０４は、携帯電話機５０からのアクセス内容に応じて、ポイント決定部２０５、ポイント付与部２０６、および画像配信制御部２０７などの各部に当該アクセスを処理するよう要求する。そして、サービス制御部２０４は、各部からの処理結果を受けて、携帯電話機５０に処理結果を示すＷｅｂページを返す。サービス制御部２０４がどのようなシーケンスで携帯電話機５０からのアクセスを処理するかについては、後に詳細に説明する。
【０１１９】
また、サービス制御部２０４は、アクセスしてきた携帯電話機５０が、どのような利用者のものであるかを特定するための情報を収集する。すなわち、サービス制御部２０４は、アクセスしてきた携帯電話機５０が、会員情報記録部２５３に登録されている利用者のものであるのか、非会員情報記録部２５４に登録されている利用者のものであるのか、あるいは、会員情報記録部２５３および非会員情報記録部２５４には登録されていないそれ以外の利用者のものであるのかを特定するための情報を収集する。サービス制御部２０４が収集する情報の詳細については、後述する。
【０１２０】
なお、サービス制御部２０４は、画像データ配信サービスにおいて、ポイントと、景品とを交換するためのインターフェースを提供してもよい。すなわち、利用者は、携帯電話機５０によって、サービス制御部２０４が提供するポイント交換サイトにアクセスして、ポイントを使用することにより、景品を取得できるようになっていてもよい。
【０１２１】
［ポイント決定部］
ポイント決定部２０５は、携帯電話機５０から、画像データのダウンロードを要求するアクセスがあった場合に、アクセスしてきた利用者に付与すべきアクセスポイントを決定するものである。ポイント決定部２０５のポイント決定手法について、概略的に説明すると以下のとおりである。
【０１２２】
すなわち、ポイント決定部２０５は、画像データのダウンロードを要求するアクセスが、会員によるものかどうかを会員判定部２０２に照会するとともに、そのアクセスが、写真撮影プリント装置１００でゲームを行って当該画像データを生成した利用者本人によるものか、それとも画像データにアクセスするためのＵＲＬを転送された他の利用者によるものであるかを判定する。
【０１２３】
つまり、ポイント決定部２０５は、そのアクセスが、会員によるものか否か、ゲームを行って画像データを生成した利用者本人によるものか否か応じて、アクセスしてきた利用者に対して付与すべきアクセスポイントを決定する。
【０１２４】
ポイント決定部２０５は、アクセスしてきた携帯電話機５０が、ゲームを行って画像データを生成した利用者本人のものではなく、利用者本人の携帯電話機５０Ａから、ＵＲＬを転送された携帯電話機５０Ｂであった場合には、ゲームを行って画像データを生成した利用者本人にも転送ポイントを付与する。
【０１２５】
これは、携帯電話機５０Ａの利用者が、携帯電話機５０Ｂの利用者に対して、ＵＲＬを転送して、ＵＲＬを転送された携帯電話機５０Ｂがダウンロード要求したということは、携帯電話機５０Ａの利用者が、携帯電話機５０Ｂの利用者が画像データ配信サービスを利用することを促進したと考えられるからである。
【０１２６】
ポイント決定部２０５のポイント決定手法の詳細については、後述する。
【０１２７】
［ポイント付与部］
ポイント付与部２０６は、ポイント決定部２０５が決定したポイントを利用者に付与するものである。
【０１２８】
ポイント付与部２０６は、ポイントを付与すべき利用者が、会員であれば、会員情報記録部２５３において、利用者の携帯電話機５０の携帯端末番号に対応するポイントに、ポイント決定部２０５が決定したポイントを加算する。
【０１２９】
一方、ポイント付与部２０６は、ポイントを付与すべき利用者が、携帯電話機５０が、会員登録されたものでない場合は、非会員情報記録部２５４において、利用者の携帯電話機５０のメールアドレスに対応するポイントに、ポイント決定部２０５が決定したポイントを加算する。
【０１３０】
なお、ポイント付与部２０６が利用者に対して付与するポイントは、「会員」と、「非会員」とで、その使用に制限を設けてもよい。
【０１３１】
ポイント使用制限の一例を示すと、利用者が「非会員」である場合、所定期間内に使用できるポイントの数に上限を設けてもよい。
【０１３２】
また、別の例を示すと、利用者が「非会員」である場合、ポイントは付与されるが、使用ができないようになっていてもよい。そして、利用者が「会員」になることで、ポイントが使用できるようになっていてもよい。
【０１３３】
このようにポイント使用制限を設けることで、「非会員」である利用者が、「会員」になる動機付けを提供できる。
【０１３４】
また、このように、「非会員」である利用者が、「会員」になることでポイント使用できるような構成で場合には、図７に示したポイントテーブル２５５が記録するデータの内容が、「会員」および「非会員」で、同一のポイントを付与するような設定であったとしても、「非会員」である利用者が、「会員」になる動機付けを提供できるというさらなる効果を奏する。
【０１３５】
［画像配信制御部］
画像配信制御部２０７は、携帯電話機５０からダウンロード要求された画像データを配信するものである。画像配信制御部２０７は、携帯電話機５０のダウンロード要求において指定されたＵＲＬにより特定される画像データの画像ＩＤを画像情報記録部２５１から読み出して、所定のタイミングで、携帯電話機５０に送信する。このタイミングについては、後に詳細に説明する。
【０１３６】
（処理の流れ）
次に、図８、図１１、および図１５を用いて、画像データ配信システム１の処理の流れについて説明する。図８、図１１、および図１５は、画像データ配信システム１に含まれる写真撮影プリント装置１００、画像データ配信サーバ装置１０、および携帯電話機５０における処理の流れについて示したフローチャートである。
【０１３７】
図８は、写真撮影から案内通知メールを送信するまでの処理の流れについて示している。図１１は、携帯電話機５０から、画像データ配信サーバ装置１０にダウンロード要求する場合の処理の流れについて示しており、そして、図１５は、ダウンロード要求した携帯電話機の利用者に対してアクセスポイントを付与する場合の処理の流れについて示している。
【０１３８】
［写真撮影〜案内通知メール送信］
はじめに、図８を用いて、写真撮影プリント装置１００における撮影処理から、画像データ配信サーバ装置１０による案内通知メール送信までの処理について説明する。
【０１３９】
まず、写真撮影プリント装置１００において撮影処理が行なわれ（Ｓ１０１）、編集処理（Ｓ１０２）、印刷処理（Ｓ１０３）が実行される。これにより、写真撮影プリント装置１００において、画像データが生成される。
【０１４０】
そして、写真撮影プリント装置１００は、利用者から、利用者が所持している携帯電話機５０Ａのメールアドレスの入力を受け付ける（Ｓ１０４）とともに、生成した画像データに画像ＩＤを設定する（Ｓ１０５）。
【０１４１】
その後、写真撮影プリント装置１００は、受け付けたメールアドレスと、生成した画像データとを画像データ配信サーバ装置１０に送信する（Ｓ１０６）。
【０１４２】
画像データ配信サーバ装置１０では、撮影画像受信部２０１が、写真撮影プリント装置１００から送信されるメールアドレスおよび画像データを受信する。また、撮影画像受信部２０１は、受信した画像データを画像情報記録部２５１に保存するとともに、メールアドレスと画像データの画像ＩＤとを対応付けて撮影画像一時記録部２５２に保存する（Ｓ２０１）。
【０１４３】
そして、案内通知部２０３が、受信したメールアドレスが会員のものかどうか会員判定部２０２に照会して、照会結果に応じて案内通知メールを作成する（Ｓ２０２）。
【０１４４】
それから、案内通知部２０３は、作成した案内通知メールを、受信したメールアドレスに送信する（Ｓ２０３）。
【０１４５】
携帯電話機５０Ａは、画像データ配信サーバ装置１０から案内通知メールを受信する（Ｓ３０１）。
【０１４６】
＜＜案内通知メールの具体例＞＞
ここで、図９および図１０を用いて、案内通知部２０３が作成する案内通知メールの具体例について説明する。図９および図１０は、案内通知部２０３が作成する案内通知メールの具体例について示す図である。図９は、会員用の案内通知メールを示しており、図１０は、非会員用の案内通知メールを示している。
【０１４７】
図９に示すように、案内通知部２０３が作成する会員用の案内通知メールＮ１には、利用者の友人の携帯電話機宛に案内通知メールを転送するよう促すメッセージＭ１、写真撮影プリント装置１００から受信した画像データのサムネイルＴ１、当該画像データにアクセスするためのＵＲＬリンクＬ１が含まれている。
【０１４８】
一方、図１０に示すように、案内通知部２０３が作成する非会員用の案内通知メールＮ２には、利用者に会員登録を促すメッセージＭ２、利用者の友人の携帯電話機宛に案内通知メールを転送するよう促すメッセージＭ３、会員登録サイトのＵＲＬリンクＬ２、当該画像データにアクセスするためのＵＲＬリンクＬ１が含まれている。
【０１４９】
なお、携帯電話機５０Ａで案内通知メールを受信した利用者は、携帯電話機５０Ａを用いて、この案内通知メールに含まれるＵＲＬにアクセスすることにより、画像データ配信サーバ装置１０に保存された画像データのダウンロード要求を行うことができる。
【０１５０】
それに加えて、携帯電話機５０Ａを所持する利用者は、この案内通知メールを、携帯電話機５０Ａからさらに他の利用者の携帯電話機５０Ｂに転送することもできる。
【０１５１】
［ダウンロード要求］
次に、図１１を用いて、携帯電話機５０が、画像データ配信サーバ装置１０に保存された画像データにアクセスするためのＵＲＬにアクセスして、画像データのダウンロード要求を行う場合の処理について説明する。なお、携帯電話機５０は、ＵＲＬを含む案内通知メールを受信した携帯電話機５０Ａであっても、ＵＲＬを転送された携帯電話機５０Ｂであってもよい。
【０１５２】
まず、携帯電話機５０が、画像データにアクセスするためのＵＲＬにアクセスして、ダウンロード要求を行う（Ｓ３１１）。
【０１５３】
画像データ配信サーバ装置１０では、サービス制御部２０４が、携帯電話機５０からのアクセスを受け付ける（Ｓ２２１）。このとき、サービス制御部２０４は、携帯電話機５０Ａから、携帯端末番号を取得して、取得した携帯端末番号をポイント決定部２０５に転送する。
【０１５４】
ポイント決定部２０５は、アクセス時のＵＲＬから、ダウンロード対象となっている画像の画像ＩＤを特定して、画像情報記録部２５１を参照して、特定した画像ＩＤについて、付与可能なポイントが残存しているかを判定する（Ｓ２２２）。
【０１５５】
Ｓ２１２において、画像ＩＤに対応する「ポイント付与」が“○”であれば、ポイント決定部２０５は、付与可能なポイントが残っていると判定して（Ｓ２２２においてＹＥＳ）、引き続きポイントを決定するための処理を行う。
【０１５６】
ここで、アクセスしてきた携帯電話機５０が、写真撮影プリント装置１００でゲームを行って、当該画像データを生成した利用者の携帯電話機５０Ａであるか、転送された案内通知メールを受信した携帯電話機５０Ｂであるかを判定する。
【０１５７】
以下に詳細に述べるが、この判定を行うためには、アクセスしてきた携帯電話機５０のメールアドレスを用いるので、この判定に先立ち、ポイント決定部２０５は、アクセスしてきた携帯電話機５０のメールアドレスを取得する。
【０１５８】
このために、ポイント決定部２０５は、まず、アクセスしてきた利用者が会員かどうかを判定する。すなわち、ポイント決定部２０５は、アクセスしてきた携帯電話機５０の携帯端末番号が会員のものかどうか会員判定部２０２に照会する（Ｓ２２３）。
【０１５９】
照会の結果、アクセスしてきた携帯電話機５０の携帯端末番号が、会員のものであると判明したとき（Ｓ２２３においてＹＥＳ）、ポイント決定部２０５は、さらに会員情報記録部２５３を参照して、携帯端末番号に対応するメールアドレスを取得する（Ｓ２２４）。
【０１６０】
一方、照会の結果、アクセスしてきた携帯電話機５０の携帯端末番号が、会員のものでないと判明したとき（Ｓ２２３においてＮＯ）、ポイント決定部２０５は、非会員情報記録部２５４に、携帯端末番号が登録されていないかを判定する（Ｓ２２５）。
【０１６１】
ここで、携帯端末番号が非会員情報記録部２５４に登録されている場合（Ｓ２２５においてＹＥＳ）、ポイント決定部２０５は、さらに非会員情報記録部２５４を参照して、携帯端末番号に対応するメールアドレスを取得する（Ｓ２２６）。
【０１６２】
これに対して、携帯端末番号が非会員情報記録部２５４に登録されていない場合（Ｓ２２５においてＮＯ）、ポイント決定部２０５は、サービス制御部２０４に対して、携帯電話機５０のメールアドレスの入力を利用者に促すページを生成するよう依頼し、サービス制御部２０４が生成したページを携帯電話機５０に送信する。これにより、サービス制御部２０４は、ユーザから携帯電話機５０のメールアドレスを取得する。
【０１６３】
このように、ポイント決定部２０５は、サービス制御部２０４を介して、入力された携帯電話機５０のメールアドレスを取得する（Ｓ２２７）。
【０１６４】
ポイント決定部２０５は、Ｓ２２４、Ｓ２２６、またはＳ２２７の処理によりアクセスしてきた携帯電話機５０のメールアドレスを取得すると、取得したメールアドレスおよびダウンロード対象の画像ＩＤの組が、撮影画像一時記録部２５２に保存されているかどうかを判定する。
【０１６５】
これにより、ポイント決定部２０５は、アクセスしてきた携帯電話機５０が、案内通知メールが送信された携帯電話機５０Ａであるか、転送された案内通知メールを受信した携帯電話機５０Ｂであるかを判定する（Ｓ２２８）。
【０１６６】
ポイント決定部２０５は、取得したメールアドレスおよびダウンロード対象の画像ＩＤの組が、撮影画像一時記録部２５２に保存されていなければ（Ｓ２２８においてＮＯ）、アクセスしてきた携帯電話機５０は、転送された案内通知メールを受信した携帯電話機５０Ｂであると判定する。
【０１６７】
このとき、ポイント決定部２０５は、携帯電話機５０Ａの利用者に対して付与する転送ポイントを決定する（Ｓ２２９）。
【０１６８】
Ｓ２２９において、ポイント決定部２０５は、ポイントテーブル２５５を参照して、条件「転送」のおいて定義されているポイントを、付与すべき転送ポイントとして決定する。
【０１６９】
また、ポイント決定部２０５は、ポイントテーブル２５５の定義に基づいて、会員か、非会員かに応じて付与すべき転送ポイントを決定する。
【０１７０】
再び図７を参照して具体的に説明すれば、次のとおりである。ポイント決定部２０５は、携帯電話機５０Ａの利用者が、会員であれば、ポイントテーブル２５５の設定に基づいて、“５ｐｔ”を付与すべき転送ポイントとして決定する。また、ポイント決定部２０５は、携帯電話機５０Ａの利用者が非会員であれば“１ｐｔ”を付与すべき転送ポイントとして決定する。
【０１７１】
ポイント決定部２０５が、転送ポイントを付与する利用者をどのようにして特定するかについては、ポイント付与部２０６が、アクセスポイントを付与する利用者を特定する手法に準じている。ポイント付与部２０６が、アクセスポイントを付与する利用者を特定する手法の詳細については後述する。
【０１７２】
また、続いて、ポイント決定部２０５は、携帯電話機５０Ｂの利用者に対して付与するポイントも決定する（Ｓ２３０）。
【０１７３】
これに対して、ポイント決定部２０５は、取得したメールアドレスおよびダウンロード対象の画像ＩＤの組が、撮影画像一時記録部２５２に保存されていれば（Ｓ２２８においてＹＥＳ）、アクセスしてきた携帯電話機５０は、写真撮影プリント装置１００でゲームを行って当該画像データを生成した利用者の携帯電話機５０Ａであると判定する。すなわち、アクセスしてきた携帯電話機５０は、画像データ配信サーバ装置１０から案内通知メールが送信された携帯電話機５０Ａである。
【０１７４】
この場合、ポイント決定部２０５は、携帯電話機５０Ａの利用者に対して付与するポイントのみを決定する（Ｓ２３０）。
【０１７５】
Ｓ２３１において、ポイント決定部２０５は、ポイントテーブル２５５の定義に基づいて付与すべきポイントを決定する。
【０１７６】
さらに図７を参照して具体的に説明すると、ポイント決定部２０５は、アクセスしてきた携帯電話機５０が、会員であれば“１０ｐｔ”を付与すべきポイントとして決定し、非会員であれば“５ｐｔ”を付与すべきポイントとして決定する。
【０１７７】
なお、Ｓ２２２において、画像ＩＤに対応する「ポイント付与」が“×”であれば、ポイント決定部２０５は、その画像ＩＤについては、ポイントが付与し尽くされたものとして取り扱う。すなわち、ポイント決定部２０５は、ポイントの算出を行わない。
【０１７８】
このようにして、ポイント決定部２０５は、同じ画像ＩＤについて、ポイントが重複して算出されることを防いでいる。つまり、ポイント決定部２０５は、画像データ配信サーバ装置１０が、複数の携帯電話機５０から、画像データにアクセスするためのＵＲＬに対してアクセスを受け付けたとしても、最初にアクセスを受け付けたときに限ってポイントの決定を行うようになっている。
【０１７９】
そして、サービス制御部２０４が、画像データ配信サービスのトップページを作成して、携帯電話機５０Ａに送信する（Ｓ２３１）。サービス制御部２０４が作成するトップページには、ポイント決定部２０５が決定したポイント、および、現在利用者に付与されているポイントを提示するためのメッセージが含まれる。
【０１８０】
なお、サービス制御部２０４は、現在利用者に付与されているポイントを、会員情報記録部２５３を参照して、携帯電話機５０Ａの携帯端末番号に対応するポイントを取得することにより算出する。
【０１８１】
その後、携帯電話機５０は、送信されたトップページを受信する（Ｓ３２２）。
【０１８２】
＜＜トップページの具体例＞＞
ここで、図１２および図１３を用いて、サービス制御部２０４が作成するトップページの具体例に説明すると次のとおりである。図１２は、ＵＲＬに対して携帯電話機がアクセスした場合に、画像データ配信サーバから返されるページの一例を示す図である。
【０１８３】
図１２に示すように、サービス制御部２０４が作成するトップページＰ１には、ポイント決定部２０５が決定したポイントを提示するメッセージＭ４、および、現在利用者に付与されているポイントを提示するメッセージＭ５が含まれる。
【０１８４】
メッセージＭ４は、ポイント決定部２０５が決定したポイント、すなわち、ＵＲＬにアクセスすることにより付与されるポイントは、１０ポイントである旨を示す。
【０１８５】
また、メッセージＭ５は、現在利用者に付与されているポイントが２０ポイントであることを示している。
【０１８６】
＜＜転送ポイントの付与について＞＞
図１４を用いて、転送ポイントが付与された利用者が、携帯電話機５０Ａにより画像データ配信サービスのサイトにアクセスした場合に送信するトップページの一例について説明する。図１４は、転送ポイントが付与された利用者が、携帯電話機５０Ａにより画像データ配信サービスのサイトにアクセスした場合に送信するトップページの一例を示す図である。
【０１８７】
図１４に示すように、サービス制御部２０４は、転送ポイントが付与された利用者が、携帯電話機５０Ａにより画像データ配信サービスのサイトにアクセスした場合、ポイント決定部２０５が付与した転送ポイントを提示するメッセージＭ８と、現在利用者に付与されているポイントを提示するメッセージＭ９が含まれる。
【０１８８】
メッセージＭ８は、ポイント決定部２０５が付与した転送ポイントが５ｐｔであることを示している。
【０１８９】
また、メッセージＭ９は、転送ポイントの付与により、現在利用者に付与されているポイントが２５ポイントとなっている旨を示している。
【０１９０】
［ポイントの付与について］
次に、図１５を用いて、画像データ配信サーバ装置１０が、ダウンロード要求してきた携帯電話機５０の利用者に対してポイントを付与する処理の流れについて説明する。
【０１９１】
まず、携帯電話機５０から、決定されたポイントを付与するよう画像データ配信サーバ装置１０に指示する（Ｓ３３１）。この指示は、例えば、図１２に示したメッセージＭ４に含まれるリンク先に携帯電話機５０がアクセスすることによってなされる。
【０１９２】
画像データ配信サーバ装置１０では、ポイント付与部２０６が、携帯電話機５０からのポイント付与の指示に応じて、画像データのダウンロード要求時にポイント決定部２０５が決定したポイントを、利用者に対して付与するとともに、画像データに設定されている残存ポイントを消去する（Ｓ２４１）。
【０１９３】
ポイント付与部２０６は、より具体的には、次の３つのパターンで、ポイントの付与を行う。まず第１に、ポイントを付与すべき利用者が、会員として会員情報記録部２５３に登録されている場合には、ポイント付与部２０６は、会員情報記録部２５３において、ダウンロード要求時に携帯電話機５０から取得した携帯端末番号に対応するポイントに、付与すべきポイントを加算する。
【０１９４】
第２に、ポイントを付与すべき利用者が、非会員であるが、非会員情報記録部２５４に登録されている場合には、ポイント付与部２０６は、非会員情報記録部２５４において、ダウンロード要求時に携帯電話機５０から取得した携帯端末番号に対応するポイントに、付与すべきポイントを加算する。
【０１９５】
第３に、ポイントを付与すべき利用者が、会員情報記録部２５３にも非会員情報記録部２５４にも登録されていない者であるとき、ダウンロード要求時に携帯電話機５０から受け付けたメールアドレスに対してポイントを付与し、図示しないポイント管理部に記録しておく。
【０１９６】
また、ポイント付与部２０６による残存ポイントの消去は、より具体的には次のようにして行われる。すなわち、ポイント付与部２０６は、画像情報記録部２５１において、ダウンロード対象となった画像データの画像ＩＤに対応付けられている「ポイント付与」に“×”を設定することにより、画像データに設定されている残存ポイントを消去する。
【０１９７】
その後、サービス制御部２０４は、ポイントが付与された旨を示すポイント付与ページを生成して、生成したページを携帯電話機５０に送信する（Ｓ２４２）。このポイント付与ページには、画像データをダウンロードするためのリンクが含まれている。
【０１９８】
一方、携帯電話機５０は、送信されたポイント付与ページを受信する（Ｓ３３４）。
【０１９９】
携帯電話機５０は、ポイント付与ページに含まれる画像データをダウンロードするためのリンクを選択・決定することで、画像データ配信サーバ装置１０に対して、画像データのダウンロードを指示する（Ｓ３３３）。
【０２００】
一方、画像データ配信サーバ装置１０では、画像配信制御部２０７が、画像データのダウンロードの指示に応じて、携帯電話機５０に指定された画像データを送信する（Ｓ２４３）。そして、画像配信制御部２０７が、会員情報記録部２５３または非会員情報記録部２５４において、ポイントを付与した携帯端末番号に対応する「ダウンロード画像」に、送信した画像データの画像ＩＤを設定する（Ｓ２４４）。
【０２０１】
携帯電話機５０は、画像データ配信サーバ装置１０から送信される画像データを受信する（Ｓ３３４）。以上により携帯電話機５０からの一連のダウンロード要求が完了する。
【０２０２】
（動作例１）
会員「乙」が、写真撮影プリント装置１００におけるゲームにおいて生成された画像データＣ（画像ＩＤ“ID0803”）のダウンロード要求を行った場合の動作例ついて以下に説明する。
【０２０３】
乙が所持する携帯電話機５０のメールアドレスは、“zzz@***.ne.jp”であり、その携帯端末番号は、“aaaaa”であるとする。
【０２０４】
ここで、画像データ配信サーバ装置１０の記録部２５０の状態は次のとおりとする。
【０２０５】
まず、会員情報記録部２５３は、図５に示すような状態である。図５に示すテーブルにおいて、会員“乙”に関する情報が登録されており、“乙”には、“２０ｐｔ”が付与されている。
【０２０６】
そして、画像情報記録部２５１は、図３に示す状態であり、撮影画像一時記録部２５２は、図４に示す状態である。
【０２０７】
写真撮影プリント装置１００から、乙が所持する携帯電話機５０のメールアドレス“zzz@***.ne.jp”とともに、画像データＡが送信され、これらが画像データ配信サーバ装置１０において受信されると、撮影画像受信部２０１が、まず、画像情報記録部２５１を、図１６の状態に更新する。すなわち、撮影画像受信部２０１は、画像情報記録部２５１に、画像ＩＤ“ID0803”に対応付けて画像データＣを格納する。また、撮影画像受信部２０１は、画像ＩＤ“ID0803”についてのポイント付与を“○”に設定する。
【０２０８】
さらに、撮影画像受信部２０１は、撮影画像一時記録部２５２を、図１８の状態に更新する。すなわち、撮影画像受信部２０１は、撮影画像一時記録部２５２に、メールアドレス“zzz@***.ne.jp”に対応付けて、画像ＩＤ“ID0803”を保存する。
【０２０９】
図２１を用いて、乙が携帯電話機５０から、ダウンロード要求を行って、乙に付与すべきポイントが決定するまでのシーケンスについて説明する。図２１は、図１１を用いて示した処理の流れに準じている。
【０２１０】
ＳＱ２１：乙が携帯電話機５０Ａによって、画像データ配信サーバ装置１０から通知されたＵＲＬにアクセスする。このアクセスは、画像データＣをダウンロード要求するものである。
【０２１１】
ＳＱ１１：画像データ配信サーバ装置１０は、携帯電話機５０Ａのアクセスを受け付ける。このとき、サービス制御部２０４は、携帯電話機５０Ａから携帯端末番号“aaaaa”を取得する。
【０２１２】
ＳＱ１２：ポイント決定部２０５が、ダウンロード対象となっている画像データＣについてポイント付与可能かを確認する。ポイント決定部２０５は、画像情報記録部２５１において、画像データＣのポイント付与に“○”が設定されていることを確認する。よって、ポイント決定部２０５は、画像データＣについてポイントが残っていると判断して、ポイント決定の処理を行う。
【０２１３】
ＳＱ１３：ポイント決定部２０５は、乙が会員かどうかを確認する。ポイント決定部２０５は、乙が会員情報記録部２５３に登録されている会員であることを確認する。
【０２１４】
ＳＱ１４：ポイント決定部２０５は、アクセスした携帯電話機５０Ａのメールアドレスが、撮影画像一時記録部２５２に記録されているメールアドレスと一致するかを確認する。ポイント決定部２０５は、会員情報記録部２５３を参照して、アクセスした携帯電話機５０Ａのメールアドレス“zzz@***.ne.jp”を取得する。撮影画像一時記録部２５２に、メールアドレス“zzz@***.ne.jp”と、画像ＩＤ“ID0803”との組が記録されているので、ポイント決定部２０５は、アクセスした携帯電話機５０Ａのメールアドレスが、撮影画像一時記録部２５２に記録されているメールアドレスと一致すると判断する。これにより、ポイント決定部２０５は、このダウンロード要求が、乙本人によるものと判定する。
【０２１５】
ＳＱ１５：ポイント決定部２０５は、ポイントテーブル２５５において、会員によるアクセスについて設定されているポイントを、乙に付与すべきポイントとして決定する。図７に示した定義に基づけば、１０ｐｔが乙に付与すべきポイントである。
【０２１６】
そして、ポイント決定部２０５は、画像情報記録部２５１を、図１７に示す状態に更新する。すなわち、ポイント決定部２０５は、画像ＩＤ“ID0803”に対応付けられているポイント付与に“×”を設定する。
【０２１７】
ＳＱ１６：サービス制御部２０４が、乙に付与すべきポイントとして決定されたポイントが１０ｐｔであることを提示するメッセージＭ４と、現在、乙に付与されているポイントが、２０ｐｔであることを提示するメッセージＭ５とを含むトップページ（図１２）を携帯電話機５０Ａに送信する。
【０２１８】
ＳＱ２２：乙の携帯電話機５０Ａがトップページを受信する。
【０２１９】
その後、乙の携帯電話機５０Ａからポイント付与の指示があれば、画像データ配信サーバ装置１０において、ポイント付与部２０６が、会員情報記録部２５３を、図１９に示す状態に更新する。すなわち、ポイント付与部２０６は、乙のポイントを、元のポイント“２０ｐｔ”と、付与すべきポイント“１０ｐｔ”とを加算した“３０ｐｔ”に更新するとともに、ダウンロード画像ＩＤに、“ID0803”を設定する。
【０２２０】
（動作例２）
会員「甲」が、写真撮影プリント装置１００におけるゲームにおいて、画像データＡ（画像ＩＤ“ID0801”）を生成しており、画像データ配信サーバ装置１０から通知されたＵＲＬを、非会員「丙」の携帯電話機５０に転送している場合の動作例について以下に説明する。
【０２２１】
甲が所持する携帯電話機５０Ａのメールアドレスは、“yyy@***.ne.jp”であり、その携帯端末番号は、“xxxxxx”であるとする。また、丙が所持する携帯端末機５０Ｂのメールアドレスは、“xxx@***.ne.jp”であり、その携帯端末番号は、“bbbbb”であるとする。
【０２２２】
ここで、画像データ配信サーバ装置１０の記録部２５０の状態は次のとおりとする。
【０２２３】
まず、会員情報記録部２５３は、図５に示すような状態である。すなわち、図５に示すテーブルにおいて、会員“甲”に関する情報が登録されており、甲には、“２５ｐｔ”が付与されている。
【０２２４】
また、非会員情報記録部２５４は、図６に示す状態である。図６に示すテーブルにおいて、非会員“丙”に関する情報が登録されている。すなわち、図６に示すテーブルには、丙の所持する携帯電話機５０Ｂのメールアドレスおよび携帯端末番号が登録されている。また、丙に付与されているポイントは、“１５ｐｔ”である。
【０２２５】
そして、画像情報記録部２５１は、図３に示す状態であり、撮影画像一時記録部２５２は、図４に示す状態である。
【０２２６】
図２２を用いて、甲が、携帯電話機５０Ａから、丙の携帯電話機５０ＢにＵＲＬを転送し、丙が携帯電話機５０Ｂから、ダウンロード要求を行って、これにより甲、乙に付与すべきポイントが決定するまでのシーケンスについて説明する。図２２は、図１１を用いて示した処理の流れに準じている。
【０２２７】
ＳＱ４１：甲が、画像データＡに関するＵＲＬを含む案内通知メールを、自分が所持する携帯電話機５０Ａから、丙の携帯電話機５０Ｂに転送する。
【０２２８】
ＳＱ５１：丙の携帯電話機５０Ｂが、甲の携帯電話機５０Ａから転送された案内通知メールを受信する。
【０２２９】
ＳＱ５２：丙の携帯電話機５０Ｂが、案内通知メールに含まれるＵＲＬにアクセスする。このアクセスは、画像データＡをダウンロード要求するものである。
【０２３０】
ＳＱ３１：画像データ配信サーバ装置１０は、携帯電話機５０Ｂのアクセスを受け付ける。このとき、サービス制御部２０４は、携帯電話機５０Ｂから携帯端末番号“bbbbb”を取得する。
【０２３１】
ＳＱ３２：ポイント決定部が、ダウンロード対象となっている画像データＡについてポイント付与可能かを確認する。ポイント決定部２０５は、画像情報記録部２５１において、画像データＡのポイント付与に“○”が設定されていることを確認する。よって、ポイント決定部２０５は、画像データＡについてポイントが残っていると判断して、ポイント決定の処理を行う。
【０２３２】
ＳＱ３３：ポイント決定部２０５は、丙が会員かどうかを確認する。ポイント決定部２０５は、丙が会員情報記録部２５３に登録されている会員ではないことを確認する。
【０２３３】
ＳＱ３４：ポイント決定部２０５は、丙が非会員として非会員情報記録部２５４に登録されていることを確認する。
【０２３４】
ＳＱ３５：ポイント決定部２０５は、アクセスしてきた携帯電話機５０Ｂのメールアドレスが、撮影画像一時記録部２５２に記録されているメールアドレスと一致するかを確認する。ポイント決定部２０５は、非会員情報記録部２５４を参照して、アクセスしてきた携帯電話機５０Ｂのメールアドレス“xxx@***.ne.jp”を取得する。画像一時記録部２５２には、メールアドレス“xxx@***.ne.jp”と、画像ＩＤ“ID0801”との組が記録されていないので、ポイント決定部２０５は、アクセスしてきた携帯電話機５０Ｂのメールアドレスが、撮影画像一時記録部２５２に記録されているメールアドレスと一致しないと判断する。これにより、ポイント決定部２０５は、このダウンロード要求が、甲本人によるものではなく、案内通知メールを転送された他の利用者からのものであると判定する。
【０２３５】
ＳＱ３６：ポイント決定部２０５は、転送ポイントを付与する。すなわち、画像ＩＤ“ID0801”を写真撮影プリント装置１００において生成したのが甲であることを特定する。甲に対して、ポイントテーブル２５５において、会員による転送について設定されているポイントを、甲に付与すべきポイントとして設定する。
【０２３６】
ＳＱ３７：ポイント決定部２０５は、ポイントテーブル２５５において、非会員によるアクセスについて設定されているポイントを、丙に付与すべきポイントとして決定する。また、ポイント決定部２０５は、画像情報記録部２５１において、画像ＩＤ“ID0801”に対応付けられているポイント付与に“×”を設定する。
【０２３７】
ＳＱ３８：サービス制御部２０４が、丙に付与すべきポイントとして決定されたポイントが５ｐｔであることを提示するメッセージＭ６と、現在、丙に付与されているポイントが、１５ｐｔであることを提示するメッセージＭ７とを含むトップページＰ２（図１３）を携帯電話機５０Ｂに送信する。
【０２３８】
ＳＱ５３：丙の携帯電話機５０Ｂがトップページを受信する。
【０２３９】
その後、丙の携帯電話機５０Ｂからポイント付与の指示があれば、画像データ配信サーバ装置１０において、ポイント付与部２０６が、非会員情報記録部２５４を、図２０に示す状態に更新する。すなわち、ポイント付与部２０６は、丙のポイントを、元のポイント“１５ｐｔ”と、付与すべきポイント“５ｐｔ”とを加算した“２０ｐｔ”に更新するとともに、ダウンロード画像ＩＤに、“ID0803”を設定する。
【０２４０】
また、甲の携帯電話機５０Ａから、画像データ配信サービスのサイトにアクセスがあれば、甲に付与された転送ポイントが５ｐｔであることを提示するメッセージＭ８と、現在、甲に付与されているポイントが２０ｐｔであることを提示するメッセージＭ９とを含むトップページＰ３（図１４）を携帯電話機５０Ａに送信する。
【０２４１】
（作用・効果）
以上のように、本発明に係る画像データ配信サーバ装置１０は、画像データと、利用者の携帯電話機５０のメールアドレスとを、写真撮影プリント装置１００から受信して、受信した上記画像データにアクセスするためのＵＲＬ（Uniform Resource Locator）を上記メールアドレスに通知する画像データ配信サーバ装置１０において、メールアドレスと、携帯電話機５０の携帯端末番号と、ポイントとを対応づけて記憶する会員情報記録部２５３・非会員情報記録部２５４と、上記ＵＲＬへの最初のアクセスを携帯電話機５０から受け付けたとき、携帯電話機５０の携帯端末番号を取得するサービス制御部２０４と、会員情報記録部２５３・非会員情報記録部２５４に、取得した携帯端末番号が記憶されているかを判定するポイント決定部２０５と、上記ポイント決定部２０５の判定結果に応じて、ポイントを付与するポイント付与部２０６と、を備えることを特徴とする。
【０２４２】
よって、画像データのダウンロードの要求を受け付けたときに、会員情報記録部２５３・非会員情報記録部２５４に登録されている利用者であるかどうかに応じてポイント付与を行うことができるという効果を奏する。
【０２４３】
（変形例）
以下において、本実施形態に係る変形例について説明する。
【０２４４】
（ポイント付与のタイミングについて）
上記では、図１１に示すＳ２３０において、アクセスを行った利用者のアクセスポイントを決定し、図１５に示すＳ２４１において、アクセスを行った利用者にアクセスポイントを実際に付与する構成について説明した。
【０２４５】
しかしながら、これに限られず、図１１に示すＳ２３１“トップページを送信する”において、ポイント付与を行ってもかまわない。これにより、早期に、利用者に対するアクセスポイントの付与を確定させることができる。
【０２４６】
（転送ポイントの付与について）
携帯電話機５０Ａを所持する利用者は、複数の携帯電話機５０Ｂに案内通知メールを転送してもよい。
【０２４７】
そして、ポイント決定部２０５は、複数の携帯電話機５０Ｂのアクセスに応じて、転送ポイントを付与してもよい。この場合、図１１に示した処理の流れを変更して、Ｓ２２２において、画像ＩＤに対するポイントが残存していないと判定されても、Ｓ２２３〜Ｓ２２８の処理を行った後、Ｓ２２９の転送ポイントの付与処理のみを実行するようにしてもよい。
【０２４８】
また、これに限られず、ポイント決定部２０５は、複数の携帯電話機５０Ｂのうち、最初に携帯電話機５０Ｂが画像データをダウンロードしたときに限って、携帯電話機５０Ａを所持する利用者に対して転送ポイントを付与するようになっていてもよい。
【０２４９】
上記の説明では、画像データ配信サーバ装置１０では、最初のアクセスを受け付けたときにのみ、ポイント決定部２０５が、アクセスポイントの決定を行う旨を説明したが、転送ポイントについても同様に、最初のアクセスを受け付けたときにのみポイント決定部２０５によって付与される構成とすることができる。
【０２５０】
また、この場合、ポイント決定部２０５は、転送ポイントを付与するか否かを、画像情報記録部２５１において、画像ＩＤに対応付けられている「ポイント付与」に応じて決定してもよい。すなわち、ポイント決定部２０５は、「ポイント付与」の設定は、アクセスポイントの付与の可否の判定、および、転送ポイントの付与の可否の判定に共通に用いるようになってもよい。勿論、転送ポイントを付与するか否かを、管理するフラグを別途設けてもかまわない。
【０２５１】
これにより、繰り返し転送されて無限にポイントが付与されてしまうことを防ぐことができる。
【０２５２】
（画像データ送信のタイミングについて）
上記では、図１１に示すＳ２３１においてトップページを携帯電話機５０に送信して、図１５に示すＳ２４２においてポイント付与ページを送信した後、携帯電話機５０から、画像データのダウンロードを行う構成であった。
【０２５３】
しかしながら、これに限られず、Ｓ２３１においてトップページにおいて、ダウンロード対象となっている画像データを含める構成としてもかまわない。これにより、利用者がより迅速に画像データを得ることができる。
【０２５４】
（その他の変形例について）
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０２５５】
上記では、画像データ配信サーバ装置１０の各ブロック、特に撮影画像受信部２０１、会員判定部２０２、案内通知部２０３、サービス制御部２０４、ポイント決定部２０５、ポイント付与部２０６、および画像配信制御部２０７を、ＣＰＵを用いてソフトウェアによって実現する例について説明した。
【０２５６】
すなわち、画像データ配信サーバ装置１０は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである画像データ配信サーバ装置１０の制御プログラムのプログラムコード（実行形式プログラム、中間コードプログラム、ソースプログラム）をコンピュータで読み取り可能に記録した記録媒体を、上記画像データ配信サーバ装置１０に供給し、そのコンピュータ（またはＣＰＵやＭＰＵ）が記録媒体に記録されているプログラムコードを読み出し実行することによっても、達成可能である。
【０２５７】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０２５８】
また、画像データ配信サーバ装置１０を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。また、画像データ配信サーバ装置１０の各ブロックは、ハードウェアロジックによって構成してもよい。
【産業上の利用可能性】
【０２５９】
本発明に係る画像データ配信サーバ装置は、画像データ配信サービスの利用者にサービスを利用するための動機付けを行うことができる。従って、画像データ等のデータ配信サービスに好ましく適用することができる。
【符号の説明】
【０２６０】
１０  画像データ配信サーバ装置
５０、５０Ａ、５０Ｂ  携帯電話機
１００  写真撮影プリント装置
２００  制御部
２０１  撮影画像受信部
２０２  会員判定部（識別情報判定手段）
２０３  案内通知部
２０４  サービス制御部（識別情報取得手段）
２０５  ポイント決定部（識別情報判定手段、ポイント付与手段）
２０６  ポイント付与部（ポイント付与手段）
２０７  画像送信制御部
２５０  記録部
２５１  画像情報記録部
２５２  撮影画像一時記録部
２５３  会員情報記録部（ポイント記憶部）
２５４  非会員情報記録部（ポイント記憶部）
２５５  ポイントテーブル
【図１】
0005458781.tif 000002
【図２】
0005458781.tif 000003
【図３】
0005458781.tif 000004
【図４】
0005458781.tif 000005
【図５】
0005458781.tif 000006
【図６】
0005458781.tif 000007
【図７】
0005458781.tif 000008
【図８】
0005458781.tif 000009
【図９】
0005458781.tif 000010
【図１０】
0005458781.tif 000011
【図１１】
0005458781.tif 000012
【図１２】
0005458781.tif 000013
【図１３】
0005458781.tif 000014
【図１４】
0005458781.tif 000015
【図１５】
0005458781.tif 000016
【図１６】
0005458781.tif 000017
【図１７】
0005458781.tif 000018
【図１８】
0005458781.tif 000019
【図１９】
0005458781.tif 000020
【図２０】
0005458781.tif 000021
【図２１】
0005458781.tif 000022
【図２２】
0005458781.tif 000023